(57)【要約】      （修正有）【課題】バッグの中の収納物を整理し、必要な時に必要なものがすぐに取り出せるよう、またバッグの中をかき回してバッグの内面が傷つかないようにするためのバッグインバッグを提供する。【解決手段】二対の対向する前後左右の両壁と底面から構成された上部が開口している袋状の本体１で、前壁を外側前壁１２１Ｕと内側前壁１２２Ｕにより、また後壁を外側後壁１２１Ｌと内側後壁１２２Ｌによりそれぞれ二重壁として２つのポケット１０５、１０６を構成し、左右壁１３１Ｌ、１３１Ｒ間を接合する仕切り１０３により２つの空間１０２、１０４に仕切っている。また、素材は軽いもので製作することにより軽量化を図り、バッグ自体が重くなるという問題点も解決する。 【選択図】図１
0003200750.tif 000002
【実用新案登録請求の範囲】
【請求項１】
二対の対向する前後(121U、121L)左右(131L、131R)の両壁と底面から構成された上部が開口している袋状の本体(1)で、前後両壁を壁面(122U)と壁面(122L)及び壁面(121L)と壁面(122L)により二重壁とし、２つのポケット(105、106)を構成し、左右壁(131L、131R)間を接合する仕切り(103)により２つの空間(102、104)に仕切りったバッグインバッグ。
【請求項２】
請求項１に記載のバッグインバッグにおいて、前後両壁のポケット（105,106）の両方またはいずれか一方をポケットの中央部(23、24)でとめあわせて左右２つのポケット(5、6）またはポケット（7、8)に分割したバッグインバッグ。
【請求項３】
請求項１、請求項２に記載のバッグインバッグにおいて、壁面(121U、122U、121L、122L、21U、22U、21L、22L、31R、31L、131L、131R)、底面、仕切り(103、3)を構成する材料はフェルト、布、ビニール、ナイロン、革のいずれか一つとしたことを特徴とするバッグインバッグ。
【請求項４】
前壁(121U)から底面を通り後壁(121L)までで一枚(A1)、前壁(122U)から第一の底面、仕切り(103)、第二の底面を通り後壁(122L)までで一枚(A2)となる二つの部品と、左右壁(131L、131R)の二つの部品の四つの部品を組み合わせて作ったバッグインバッグ。
【考案の詳細な説明】
【技術分野】
【０００１】
本考案は、バッグに関し、バッグの収納物を整理し、バッグの内面を傷つけないようにバッグの中に入れて使うバッグインバッグに関する。
【背景技術】
【０００２】
仕切りのないバッグの中は収納している財布や小物類が散乱し探すのに時間がかかる。携帯電話や車、家の鍵など、すぐに取り出すことが出来ないと大変不便であり、それらの物を探すためにバッグの中をかき回しバッグの内面に傷をつけていた。
【先行技術文献】
【特許文献】
【０００３】
【特許文献１】実用新案登録第３０７２８７８号
【特許文献２】実用新案登録第３０８６３５８号
【特許文献３】実用新案登録第３１８４４６１号
【考案の概要】
【考案が解決しようとする課題】
【０００４】
これまでのバッグインバッグは、仕切りがない単純な袋状のものだったり、逆に仕切りが多すぎて使いにくいものや、材料によってはバッグインバッグ自体が重く、収納物が整理されても重さが増し持つ人に負担がかかっていた。また、仕切りのない親バッグの中で収納物が散乱したり、親バッグを持ち替える時にも収納物を一つずつ取り出し入替する作業に時間がかかっていた。
（注）本明細書で使用する親バッグとは、バッグインバッグを収納するバッグの事である。
【課題を解決するための手段】
【０００５】
本考案はバッグの中に収納するもの（財布、携帯電話、鍵、ポーチ等）を必要最小限シンプルな仕切り方で、且つ軽い素材でバッグインバッグを作ることによってバッグの中の収納物を整理し、必要な時に必要なものがすぐに取り出せるよう、またバッグの中をかき回してバッグの内面が傷つかないように防止するために考案されたものである。
【０００６】
本考案の請求項１は二対の対向する前後左右の両壁と底面から構成された上部が開口している袋状の本体に、真ん中に仕切りを作ることにより大きく２つの空間を作り、二重壁の前後両壁に２つのポケットを作ることにより、シンプルな仕切りで製作したことが特徴である。
【０００７】
本考案の請求項２は、請求項１に記載のバッグインバッグにおいて、前後両端のポケットの両方またはいずれか一方をポケットの中央部でとめあわせて左右２つのポケットに分割させてさらに収納物を分けて収納できるようにした。
【０００８】
また、請求項３はバッグインバッグを構成する素材を軽いもので製作することにより軽量化を図り、バッグ自体が重くなるという問題点も回避した。
【０００９】
また、本考案の請求項４は、前壁から底面を通り後壁までで一枚、前壁から第一の底面、仕切り、第二の底面を通り後壁までで一枚となる二つの部品と、左右壁の二つの部品の４つの部品を組み合わせて少ない部品で製作できるようにしている。   
【考案の効果】
【００１０】
本考案のバッグインバッグを使用することにより、それぞれの仕切りの中に収納物を立てた状態で収納することが出来るようになるため収納力が向上し、どこに何が収納されているか一目瞭然であるため必要なものをすぐに取り出せるようになり、バッグの中が整理出来るようになった。
【００１１】
本考案のバッグインバッグは収納物を収納したまま、バッグインバッグのみでも独立して立つことが出来るので親バッグの中から取り出し小物入れとしても活用できる。
【００１２】
また、親バッグの中から収納物を入れた状態でバッグインバッグの取り外しが可能なため親バッグを変更する際にもバッグインバッグを移動するだけで収納物の移動が一度に出来、時間の短縮にもなり忘れ物がなくなる。
【図面の簡単な説明】
【００１３】
【図１】本実施形態に係るバッグインバッグの平面図である。
【図２】本実施形態に係るバッグインバッグの正面側斜視図である。
【図３】本実施形態に係るバッグインバッグの平面図である。
【図４】本実施形態に係るバッグインバッグの正面側斜視図である。
【図５】本実施形態に係るバッグインバッグの横側面図である。
【図６】本実施形態に係るバッグインバッグの平面図である。
【図７】本実施形態に係るバッグインバッグの縦側面図である。
【図８】本実施形態に係るバッグインバッグの断面図である。
【考案を実施するための形態】
【００１４】
次に実施形態について請求項１に対して説明する。二対の対向する前後(121U、121L)左右(131L、131R)の両壁と底面から構成された上部が開口している袋状の本体(1)で、前後(121U、121L)は図８のとおり二重壁になっており、左右壁(131L、131R)間を接合する仕切り(103)により２つの空間(102、104)に仕切り、前後両端を壁面(122U)と壁面(122L)及び壁面(121L)と壁面(122L)により２つのポケット(105、106)にしている。
【００１５】
他の実施形態について請求項２に対して説明する。請求項１に記載のバッグインバッグにおいて、前後両端のポケットの両方またはいずれか一方をポケットの中央部(23、24)でとめあわせて左右２つのポケットに分割(5、6、7、8)させたもので、長辺短辺寸法を変更し親バッグのサイズに合わせてぴったり作ることもできる。
【００１６】
他の実施形態について請求項３に対して説明する。壁面(121U、122U、121L、122L、21U、22U、21L、22L、31R、31L、131L、131R)、底面、仕切り(103、3)を構成する材料はフェルト、布、ビニール、ナイロン、革のいずれか一つとしたことを特徴とする。
【００１７】
以上、この考案の一実施形態について説明したが、この考案に係るバッグインバッグは、上記実施形態のものに限定されるものではなく、様々に設定変更可能である。
【００１８】
例えば仕切り(3)は一つではなく二つに増やしてもよいし、前後壁のポケットの仕切り(23,24)も真ん中ではなく左右のいずれか一方に移動してもよいし、仕切りを増やしてポケットの数を増やすことも可能である。
【実施例】
【００１９】
請求項１について実施例を説明する。図８の前壁(121U)から底面を通り後壁(121L)までで一枚とした部品(A1)と、前壁(122U)から第一の底面、仕切り(103)、第二の底面を通り後壁(122L)までで一枚とした部品(A2)の二つの部品を図8の縫い目(N11、N12、N15)図６の縫い目(N5、N6、N7、N8)で縫い合わせ、次に左右側面(131Lと131R)の部品をそれぞれ左右縫い目(N1、N3、N9)と(N2、N4、N10)で縫い合わせることにより前後にポケット、真ん中に仕切りのある袋状の本体が完成する。また、図８のように前壁(121U、121L)の前後の壁の部分は二重にしているため本体1のみで独立して立つことが出来、仕切り(103)も二重になっており左右縫い目(N9、N10)によって縫い付けられているためしっかりと立ち、仕切りとしての機能が十分に発揮されている。
【００２０】
請求項２について実施例を説明する。請求項１に対して図４のとめ合わせ箇所(23、24)を縫い目(N16、N17)で縫い合わせ(5、6、7、8)のポケットに分割させる。
【００２１】
請求項３について実施例を説明する。請求項１、請求項２に記載のバッグインバッグにおいて、図２、図４の壁面(121U、122U、121L、122L、21U、22U、21L、22L、31R、31L、131L、131R)、底面、仕切り(103、3)を構成する材料はフェルト、布、ビニール、ナイロン、革いずれかひとつでもいいし、使用することによりよく擦れる仕切り(103、3)のみ耐久性のあるビニールや革で作成してもよい。
【００２２】
請求項４について実施例を説明する。図８の前壁(121U)から底面を通り後壁(121L)までで一枚とした(A1)、前壁(122U)から第一の底面、仕切り(103)、第二の底面を通り後壁(122L)までで一枚とした(A2)２つの部品と、図６の左右壁(131L、131R)の２つの部品の合計４つの部品を組み合わせて作る。
【符号の説明】
【００２３】
１      バッグインバッグ本体
２      メイン収納部１
３      仕切り
４      メイン収納部２
５      上ポケット
６      上ポケット
７      下ポケット
８      下ポケット
２１Ｕ  上ポケット５，６外側面
２２Ｕ  上ポケット５，６内側面
２１Ｌ  下ポケット７，８外側面
２２Ｌ  下ポケット７，８内側面
２３    上ポケット５，６仕切りとめ合わせ箇所
２４    下ポケット７，８仕切りとめ合わせ箇所
３１Ｌ  左側面
３１Ｒ  右側面
１０２  メイン収納部３
１０３  仕切り
１０４  メイン収納部４
１０５  上ポケット
１０６  下ポケット
１２１Ｕ  上ポケット１０５外側面
１２２Ｕ  上ポケット１０５内側面
１２１Ｌ  下ポケット１０６外側面
１２２Ｌ  下ポケット１０６内側面
１３１Ｌ  左側面
１３１Ｒ  右側面
Ｎ１〜Ｎ１７  縫い目
Ａ１      121U〜121Lからなる一枚の部品
Ａ２      122U〜103〜122Lからなる一枚の部品
【図１】
0003200750.tif 000003
【図２】
0003200750.tif 000004
【図３】
0003200750.tif 000005
【図４】
0003200750.tif 000006
【図５】
0003200750.tif 000007
【図６】
0003200750.tif 000008
【図７】
0003200750.tif 000009
【図８】
0003200750.tif 000010
【手続補正書】
【提出日】平成27年8月21日(2015.8.21)
【手続補正１】
【補正対象書類名】実用新案登録請求の範囲
【補正対象項目名】全文
【補正方法】変更
【補正の内容】
【実用新案登録請求の範囲】
【請求項１】
二対の対向する前後左右の両壁と底面から構成された上部が開口している袋状の本体(1)で、前壁を外側前壁(121U)と内側前壁(122U)により、また後壁を外側後壁(121L)と内側後壁(122L)によりそれぞれ二重壁として２つのポケット(105、106)を構成し、左右壁（131L、131R）間を接合する仕切り(103)により２つの空間(102、104)に仕切ったことを特徴とするバッグインバッグ。
【請求項２】
前後両壁のポケット(105、106)の両方またはいずれか一方をポケットの中央部(23、24)でとめあわせて左右２つのポケット(5、6、7、8)に分割したことを特徴とする請求項１に記載のバッグインバッグ。
【請求項３】
壁面(121U、122U、121L、122L、131L、131R)、底面、仕切り(103)を構成する材料はフェルト、布、ビニール、ナイロン、革のいずれか一つとしたことを特徴とする請求項１または２に記載のバッグインバッグ。
【請求項４】
外側前壁(121U)から底面を通り外側後壁(121L)までで一枚(A1)、内側前壁(122U)から第一の底面、仕切り(103)、第二の底面を通り内側後壁(122L)までで一枚(A2)となる二つの部品と、左右壁(131L、131R)の二つの部品の四つの部品を組み合わせて作ったことを特徴とする請求項１〜３のいずれか一項に記載のバッグインバッグ。